(57)【要約】【課題】  装着感が良く、また、手の出し入れが容易になるように、手を覆う抑制具を提供する。【解決手段】  本考案の手を覆う抑制具は、その一端に手が挿入されるように開口部が設けられた略楕円形状の本体と、該本体を手首に保持させる係止手段と、を備え、前記本体の手の掌側は、第１の帆布を表面にして、前記第１の帆布と裏地との間にフェルト部材を設けて構成され、前記本体の手の甲側は、指先側がゴースで形成されるとともに、手首側に第２の帆布を設けて構成されている。係止手段としては、手を挿入する開口部から指先方向に向かって斜めに設けたファスナーが有効であり、開口部側の端部にファスナーの端部を覆うベルトを設ける。【選択図】  図１
0003138401.tif 000002
【実用新案登録請求の範囲】
【請求項１】
手に装着させることにより、物品が手で掴めないように手が覆われる抑制具において、
前記抑制具は、その一端に手が挿入されるように開口部が設けられた略楕円形状の本体と、前記本体を手首に保持させる係止手段と、を備え、
前記本体の手の掌側は、第１の帆布を表面にして、前記第１の帆布と裏地との間にフェルト部材を設けて構成され、
前記本体の手の甲側は、指先側がゴースで形成されるとともに、手首側に第２の帆布を設けて構成されていることを特徴とする手を覆う抑制具。
【請求項２】
前記係止手段は、前記開口部から指先方向に向かって斜めに設けたファスナーであり、該ファスナーが前記第２の帆布に設けられていることを特徴とする請求項１に記載の手を覆う抑制具。
【請求項３】
前記開口部の端部に前記ファスナーの端部を覆うベルトが設けられていることを特徴とする請求項２に記載の手を覆う抑制具。
【請求項４】
手に装着させることにより、物品が手で掴めないように手が覆われる抑制具において、
前記抑制具は、先端部を弓状に形成するとともに、後端部に手が挿入されるように開口部を設けた本体と、前記本体を手首に保持させる係止手段と、を備え、
前記本体の手の掌側は、表面に綿素材の布を配置するとともに、前記綿素材の布と裏地との間にフェルト部材を設け、
前記本体の手の甲側は、表面に前記綿素材の布を配置するとともに、前記綿素材の布にタックを設けていることを特徴とする手を覆う抑制具。
【請求項５】
手に装着させることにより、物品が手で掴めないように手が覆われる抑制具において、
前記抑制具は、先端部を弓状に形成するとともに、後端部に手が挿入されるように開口部を設けた本体と、前記本体を手首に保持させる係止手段と、を備え、
前記本体の手の掌側に、綿素材の布を配置するとともに、前記綿素材の布と裏地との間にフェルト部材を設け、
前記本体の手の甲側に、表面側からポリエステルメッシュ、ナイロンメッシュ、裏地を順に設けて構成されていることを特徴とする手を覆う抑制具。
【考案の詳細な説明】
【技術分野】
【０００１】
本考案は、手の働きを抑制する手の抑制具に関する。
【背景技術】
【０００２】
病院内で患者が自らの手で点滴を外すことは、通常有り得ないことである。しかし、患者によっては点滴を拒み、自らの生命を危険に晒す行為を敢えて行う者もいる。このようなことが頻繁に発生するような状況は好ましくなく、手の働きを抑制する必要がある場合がある。本出願人は、このような患者から、一時的に手の自由を奪い、自らが危険に晒されることがないように危険防止手袋（実用新案登録第３１１４３７９号）を開示した。この手袋は、外周部に設けられたファスナーで開閉自在に連結される手袋で、手の各指間に仕切りがなく、パットが手の掌部に設けられるとともに、可撓性バンドを備えている。さらに、介護記録紙片が挿入可能にポケットを備えている。
【特許文献１】実用新案登録第３１１４３７９号公報
【考案の開示】
【考案が解決しようとする課題】
【０００３】
上記背景技術で述べた危険防止手袋であっても、本来の目的は叶えられる。しかし、手の働きが抑制されるような手袋は、かなり装着感が良いものでなければ、受け入れられない。本考案は、さらに装着感が良くなるようにして、手を覆う抑制具を提供する。
【課題を解決するための手段】
【０００４】
請求項１に記載の手を覆う抑制具は、手に装着させることにより、物品が手で掴めないように手が覆われる抑制具において、前記抑制具は、その一端に手が挿入されるように開口部が設けられた略楕円形状の本体と、前記本体を手首に保持させる係止手段と、を備え、前記本体の手の掌側は、第１の帆布を表面にして、前記第１の帆布と裏地との間にフェルト部材を設けて構成され、前記本体の手の甲側は、指先側がゴースで形成されるとともに、手首側に第２の帆布を設けて構成されていることを特徴とする。
請求項２に記載の考案は、前記係止手段が、前記開口部から指先方向に向かって斜めに設けたファスナーであり、該ファスナーが前記第２の帆布に設けられていることを特徴とする。
請求項３に記載の考案は、前記開口部の端部に前記ファスナーの端部を覆うベルトが設けられていることを特徴とする。
【０００５】
請求項４に記載の手を覆う抑制具は、手に装着させることにより、物品が手で掴めないように手が覆われる抑制具において、前記抑制具は、先端部を弓状に形成するとともに、後端部に手が挿入されるように開口部を設けた本体と、前記本体を手首に保持させる係止手段と、を備え、前記本体の手の掌側は、表面に綿素材の布を配置するとともに、前記綿素材の布と裏地との間にフェルト部材を設け、前記本体の手の甲側は、表面に前記綿素材の布を配置するとともに、前記綿素材の布にタックを設けていることを特徴とする。
請求項５に記載の手を覆う抑制具は、手に装着させることにより、物品が手で掴めないように手が覆われる抑制具において、前記抑制具は、先端部を弓状に形成するとともに、後端部に手が挿入されるように開口部を設けた本体と、前記本体を手首に保持させる係止手段と、を備え、前記本体の手の掌側に、綿素材の布を配置するとともに、前記綿素材の布と裏地との間にフェルト部材を設け、前記本体の手の甲側に、表面側からポリエステルメッシュ、ナイロンメッシュ、裏地を順に設けて構成されていることを特徴とする。
【考案の効果】
【０００６】
ゴースは通気性に優れているとともに中が透ける素材であるので、これを指先側に配設することにより、手の状態が確認でき、且つ、装着感が向上した手を覆う抑制具となる。また、開口部から指先方向に向かって斜めにファスナー（係止手段）を設けることにより、開閉が容易で、且つ、開口部を広くすることができることから、手の出し入れが容易になる。
さらに、斜めにファスナーを設けた場合には、縦方向に設けた場合より、ファスナーのスライダーが表に露出しないように、左右の布片で隠すことがしやすくなり、且つ、より確実に締結できるものとなる。そして、スライダーを隠す効果は、ファスナーの端部を覆うように開口部側の端部にベルトを設けることにより、より確実なものとなる。
【０００７】
綿素材の布を表面に配し、抑制具本体の手の甲側にタックを設けた場合には、手を覆う抑制具が装着時に圧迫感のない快適なものとなる。
手の甲部分が覆われる側に、表面側からポリエステルメッシュ、ナイロンメッシュ、裏地を順に設けることにより、手を覆う抑制具の通気性が損なわれることがなく、且つ、長時間装着していても手が蒸れることがないので、快適なものになる。
【考案を実施するための最良の形態】
【０００８】
図１および図２は、それぞれ第１の実施の形態における手を覆う抑制具１０を示した正面図および背面図であり、図３は、図２におけるＡ―Ａ線の断面図である。これら、図１乃至図３に示すように、抑制具１０は、概ね、略楕円形状に形成され、手が挿入される開口部１３を備えるが、特に、指を分けて挿入できるといったような形状ではなく、その内部においても、個々の指を分離するような隔壁は設けられていない袋状の手袋である。
【０００９】
抑制具１０の手の掌部分が覆われる側（図１に示す）は、帆布１（第１の帆布）を表面にし、帆布１と裏地１ｂ（図３参照）との間にフェルト５が挟み込まれて縫製されている。従って、抑制具１０を装着した者は、指を折り曲げて手で物を掴むことができないものである。そして、挟み込まれるフェルト５の領域は、指先部分から手首部分に至る部位（図１中破線で示す）であるから、手首の屈曲については、制限されない。従って、手首が緩やかに、且つ、確実に締結できるものになり、また、手の大きさの違いにも対応できるものになる。
利用される帆布１については、綿天竺よりも厚手の生地（綿１００％）が好適に利用できる。この帆布１は、熱や切り裂き応力も強く、抑制具１０を耐久性があるものとする。尚、後述する帆布１ａについても同様の素材である。
【００１０】
抑制具１０の手の甲部分が覆われる側（図２に示す）は、指先側をゴース（ポリエステル１００％の薄手の生地であり、中が透けて見える素材である）２とし、手首側を帆布１ａ（第２の帆布）とする。そして、手首側の帆布１ａと指先側のゴース２とは、斜め（左上がり）に縫合（縫合部９）する。ファスナー４（係止手段）は、開口部１３から、ゴース２との接合部まで、左上がりの斜めに設ける。このようにファスナー４を左上がりの斜めなものとして設けると、左手への装着が快適なものになる。尚、ゴース２を抑制具１０の甲側部分に設けることにより、手の装着状態が外側から視認できる抑制具１０とすることができる。また、ゴース２は、通気性がある素材であるから、抑制具１０を長時間装着していても手が蒸れない。したがって、装着感の優れた抑制具１０とすることができる。
この抑制具１０は、上述した手の掌部分が覆われる側の布地と手の甲部分が覆われる側の布地とを、バイアス６で挟み縫製して製造される。図中、開口部１３は手の挿入口であり、手の挿入空間１４では手を広げた状態で装着できる充分な広さを有している。
【００１１】
図４に示す抑制具１０は、手首側の帆布１ａと指先側のゴース２との縫合部９を右上がりの斜めなものとするとともに、ファスナー４を右上がりに斜めに設けたものである。このように、ファスナー４を右上がりの斜めなものとして形成すると、右手への装着が快適なものになる。すなわち、開口部１３から斜め方向にファスナー４を設ける形態は、例えば、図５に示す形態のものと比較して装着感が異なり、ファスナー４を途中で止めていても、その係止効果がより優れたものになる。このことから、例えば、手の大きい人であっても、ファスナー４を開口部１３まで閉じる必要はなく、ファスナー４を途中で止めていても、一定の係止効果が得られるから、手の大きさに対応できるものになる。
【００１２】
第１の実施の形態の手を覆う抑制具１０（図１乃至図５参照）は、略楕円形状に切り取った帆布１と裏地１ｂとを縫い合わせ、フェルト５を挿入することにより、手の掌部分を覆う側が製造される。
手の甲部分が覆われる側は、上述した手の掌部分と同様の輪郭で、ゴース２および帆布１が切り取られ、それぞれ縫合部９が斜めになるように縫合される。
帆布１が設けられる手首側は、裏地１ｂと合せて縫合され、さらに、開口部１３からファスナー４が斜めに取り付けられる。
【００１３】
開口部１３の周囲には、ベルト７がファスナー４のスライダーを覆い隠すようにして設けられる。このベルト７の端部には、相互に係合するプッシュボタン８、８ａが設けられる。
最後に、手を挿入する開口部を除き、手の掌部分を覆う側の布と手の甲部分が覆われる側とが、その外周にバイアステープ６が巻き付けられて縫製される。
【００１４】
尚ベルト７は、ファスナー４のスライダーを覆うことができるものであればよいから、図５に示すように、抑制具１０の裏面布とベルト７とにそれぞれ係合するプッシュボタン８、８を設けてファスナー４のスライダーを覆うようにしてもよい。そして、ベルト７の取付け手段は、プッシュボタンに限定されるものでなく、例えば面ファスナー等を利用することもできる。
【００１５】
以上、第１の形態の手を覆う抑制具１０は、ファスナー４を手首の曲げ方向に対して斜めに設けることにより、開口部が広くでき、且つ、開閉が容易になるので、手の出し入れが容易になる。そして、手首が緩やかに、且つ、確実に締結できる。また、手首の曲げに対して抵抗感が少なくなり、快適に装着できるものになる。尚、図１および図４に示した抑制具１０は、左右の手の何れであっても利用できるものである。
【００１６】
図６（ａ）および図６（ｂ）は、何れも第２の形態の手を覆う抑制具１０を背面図で示したものである。
この手を覆う抑制具１０は、手の掌部分を覆う側（本体の手の掌側・図省略）が綿素材の布（例えば、綿１００％のカツラギ布１１もしくはネル）であり、手の甲部分が覆われる側（本体の手の甲側）も同様の素材で製造されている。
抑制具１０本体の手の甲側には、カツラギ布１１（綿素材の布）を折り畳むことで形成されたタック１２が設けられている。これにより、装着時には、圧迫感のない快適な装着感が得られるものとなっている。
本実施の形態の手を覆う抑制具１０には、紐７ａ（係止手段）が手首部分に設けられている。この紐７ａは、手を覆う抑制具１０を手首に保持させるために用いられる。尚、カツラギ布１１と裏地との間にフェルト部材を設けているが、この点は第１の形態と同一である。
【００１７】
図７は、第３の形態の手を覆う抑制具１０を背面図で示したものであり、図８は図７のＢ−Ｂ線断面図であり、図９は図７のＣ−Ｃ線断面図である。
これら図７ないし図９に示すように、第３の形態の手を覆う抑制具１０は、手の掌部分を覆う側（本体の手の掌側・図省略）が綿１００％のカツラギ布１１であり、第２の形態の構成と同じである。
しかし、手の甲部分が覆われる側（本体の手の甲側）は、表面側からポリエステルのメッシュ生地（ポリエステルメッシュ）１ｄ、ナイロンメッシュ１ｃ、裏地１ｄ（キュプラ等）を順に設けて構成されている。これにより、通気性が損なわれることがなく、長時間装着していても手が蒸れることがない。
【図面の簡単な説明】
【００１８】
【図１】手を覆う抑制具（第１の形態）を示した正面図である。
【図２】手を覆う抑制具（第１の形態）を示した背面図である。
【図３】図２におけるＡ―Ａ線断面図である。
【図４】手を覆う抑制具を示した背面図である。
【図５】手を覆う抑制具を示した背面図である。
【図６】（ａ）は、手を覆う抑制具（第２の形態）を示した背面図であり、（ｂ）は、手を挿入した状態で示した背面図である。
【図７】手を覆う抑制具（第３の形態）を示した背面図である。
【図８】図７のＢ−Ｂ線断面図である。
【図９】図７のＣ−Ｃ線断面図である。
【符号の説明】
【００１９】
１、１ａ  帆布
２  ゴース
４  ファスナー
５  フェルト
６  バイアステープ
７  ベルト
８  プッシュボタン
９  縫合部
１０  手を覆う抑制具
１３  開口部
１４  手の挿入空間
【図１】
0003138401.tif 000003
【図２】
0003138401.tif 000004
【図３】
0003138401.tif 000005
【図４】
0003138401.tif 000006
【図５】
0003138401.tif 000007
【図６】
0003138401.tif 000008
【図７】
0003138401.tif 000009
【図８】
0003138401.tif 000010
【図９】
0003138401.tif 000011